(57)【要約】【課題】障害物検知装置のない既存の座板を、座板略全長に亘る作動ワイヤ２１を備えて構成される障害物検知装置が設けられた座板９に交換するにあたり、座板９が左右に長く搬入経路の確保が難しいところでも容易に現場搬入でき、現場での作動ワイヤ２１の張り調整を不要にする。【解決手段】座板及び作動ワイヤを左右分割型にし、該分割した作動ワイヤ２１Ａ、２１Ｂについては、座板を連結した後、分割端にそれぞれ設けた止め具２１Ａ、２１ｂを重ね合わせた状態で固定具２１ｃで固定するようにして現場での作動ワイヤ２１の張り調整を不要にする。【選択図】図２
2014025286.tif 000002
【特許請求の範囲】
【請求項１】
開閉機の駆動によりシャッターカーテンの開閉作動を行うようにした建築用シャッターにおいて、シャッターカーテンの最下端スラットに連結される既存の座板を、障害物検知装置が設けられた座板に交換するにあたり、該交換される座板は、最下端スラットに連結固定される上座板と、該上座板に対して上下動可能な下座板とから構成され、該上下座板は、少なくとも左右に二分割されたものを一連状に連結するものであり、障害物検知装置は、上座板に一体的に固着される少なくとも一対の検知具本体と、前記各検知具本体にそれぞれ揺動自在に取付けられ、前記下座板の上動に追随して揺動する揺動レバーと、検知具本体の何れか一つに取付けられ、前記揺動レバーの下座板に追随する揺動を受けて切換わる一つの検知スイッチと、各揺動レバーを一連状に連結する作動ワイヤと、検知スイッチが設けられた検知具本体に取付けられる揺動レバーを非検知位置側に向けて付勢する弾機とを備えて構成し、下座板が障害物に当接したことに基づいて揺動レバーが上動したことを前記検知スイッチで検知するように構成したものであり、前記作動ワイヤは、前記座板の分割に対応して左右に分割されたものを一連状に連結するものであることを特徴とする建築用シャッターにおける障害物検知装置。
【請求項２】
分割された作動ワイヤ同士の連結は、該作動ワイヤの分割端に設けた止め金具同士を重ね合わせたものを固定具で固定するものであることを特徴とする請求項１記載の建築用シャッターにおける障害物検知装置。
【請求項３】
分割された作動ワイヤ同士の連結は、一端に形成された係止フックを左右分割端側の揺動レバーにそれぞれ係止し、他端に形成された係合フック同士を互いに係合する一対の連結杆を用いて連結するものであることを特徴とする請求項１記載の建築用シャッターにおける障害物検知装置。
【発明の詳細な説明】
【技術分野】
【０００１】
本発明は、ビルや住宅等の建造物の出入口等の開口部に設けられる建築用シャッターにおける障害物検知装置の技術分野に関するものである。
【背景技術】
【０００２】
一般に、建築用シャッターの中には、シャッターカーテンの閉鎖作動時に障害物があった場合、これを検知して緊急停止させるための障害物検知装置を設けられる。この様な障害物検知装置のなかには、シャッターカーテン最下端に設けられる座板を、上座板と該上座板に対して上下移動自在に設けられる下座板とで構成し、上座板に対する下座板の上動を障害物検知装置を用いて検知するようにしたものが知られている（例えば特許文献１、２参照）。
このものは障害物検知装置を、上座板に一体的に固着される少なくとも一対の検知具本体と、前記各検知具本体にそれぞれ揺動自在に取付けられ、前記下座板の上動に追随して揺動する揺動レバーと、検知具本体の何れか一つに取付けられ、前記揺動レバーの下座板に追随する揺動を受けて切換わる一つの検知スイッチと、各揺動レバーを一連状に連結する作動ワイヤと、検知スイッチが設けられた検知具本体に取付けられる揺動レバーを非検知位置側に向けて付勢する弾機とを備えて構成し、下座板の何処かが障害物に当接したことに基づいて上動した場合に、これを検知スイッチで検知するようにしたものであり、一つの検知スイッチであっても幅広い障害物検知ができるようにしたものである。
【先行技術文献】
【特許文献】
【０００３】
【特許文献１】特許第３４５８２９７号公報
【特許文献２】特許第４５９６３１７号公報
【発明の概要】
【発明が解決しようとする課題】
【０００４】
ところで近時、重量式の建築用シャッターにおいては障害物検知装置を設けることが義務付けられているが、この義務付け前のものについては障害物検知装置がないものがあり、このようなものに後付けで障害物検知装置を設けたい、という要望がある。そこでこれに応えるため、障害物検知装置がない既存の座板を、前記障害物検知装置が組込まれた座板と交換することが提唱されるが、建築用シャッターの中には左右幅が１０ｍにも及ぶ長いものがあり、このような長い座板を現場まで搬入するのが大変であるばかりでなく、現場の中には搬入経路が確保できないところがある。
そこで座板を分割式として現場まで搬入後、座板を組付けるようにすることが提唱されるが、前記障害物検知装置には各揺動レバーを一連状に連結する作動ワイヤがあり、この作動ワイヤについても分割式とし、現場で連結する必要がある。ところが作動ワイヤは、複数ある検知具本体同士を連結するものであるため張り調節が必要であるが、張り調節が現場ではなかなか難しく作業性に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開閉機の駆動によりシャッターカーテンの開閉作動を行うようにした建築用シャッターにおいて、シャッターカーテンの最下端スラットに連結される既存の座板を、障害物検知装置が設けられた座板に交換するにあたり、該交換される座板は、最下端スラットに連結固定される上座板と、該上座板に対して上下動可能な下座板とから構成され、該上下座板は、少なくとも左右に二分割されたものを一連状に連結するものであり、障害物検知装置は、上座板に一体的に固着される少なくとも一対の検知具本体と、前記各検知具本体にそれぞれ揺動自在に取付けられ、前記下座板の上動に追随して揺動する揺動レバーと、検知具本体の何れか一つに取付けられ、前記揺動レバーの下座板に追随する揺動を受けて切換わる一つの検知スイッチと、各揺動レバーを一連状に連結する作動ワイヤと、検知スイッチが設けられた検知具本体に取付けられる揺動レバーを非検知位置側に向けて付勢する弾機とを備えて構成し、下座板が障害物に当接したことに基づいて揺動レバーが上動したことを前記検知スイッチで検知するように構成したものであり、前記作動ワイヤは、前記座板の分割に対応して左右に分割されたものを一連状に連結するものであることを特徴とする建築用シャッターにおける障害物検知装置である。
請求項２の発明は、分割された作動ワイヤ同士の連結は、該作動ワイヤの分割端に設けた止め金具同士を重ね合わせたものを固定具で固定するものであることを特徴とする請求項１記載の建築用シャッターにおける障害物検知装置である。
請求項３の発明は、分割された作動ワイヤ同士の連結は、一端に形成された係止フックを左右分割端側の揺動レバーにそれぞれ係止し、他端に形成された係合フック同士を互いに係合する一対の連結杆を用いて連結するものであることを特徴とする請求項１記載の建築用シャッターにおける障害物検知装置である。
【発明の効果】
【０００６】
請求項１の発明とすることにより、障害物検知装置のない既存の座板を、作動ワイヤで連結される構成の障害物検知装置が設けられた座板に交換するにあたり、座板が長く搬入経路の確保が難しいような場合であっても、座板と共に、作動ワイヤの現場での張り調整を必要とすることなく組み付けることができる。
請求項２、３の発明とすることにより、分割された作動ワイヤ同士の連結が現場において簡単にできることになる。
【図面の簡単な説明】
【０００７】
【図１】建築用シャッターの正面図である。
【図２】（Ａ）は座板の平面図、（Ｂ）は座板の一部切り欠き正面図である。
【図３】（Ａ）は図２のＡ−Ａ矢視図、（Ｂ）は図２のＢ−Ｂ矢視した端面図、（Ｃ）は非検知状態の第一検知具本体部位の縦断面図、（Ｄ）は検知状態の第一検知具本体部位の縦断面図である
【図４】（Ａ）は座板の一端側半部の平面図、（Ｂ）は座板の一端側半部の一部を切り欠いた正面図である。
【図５】座板の他端側半部の正面図である。
【図６】（Ａ）は非検知状態の第一検知具本部部位を切り欠いた座板の要部正面図、（Ｂ）は検知状態の第一検知具本部部位を切り欠いた座板の要部正面図、（Ｃ）は検知状態、非検知状態第二検知具本部部位を切り欠いた座板の要部正面図である。
【図７】（Ａ）は分割した作動ワイヤ同士の連結部位の正面図、（Ｂ）は同平面図である。
【図８】（Ａ）は第二の実施の形態の座板の一部を切り欠いた要部正面図、（Ｂ）は連結杆の正面図である。
【発明を実施するための形態】
【０００８】
以下、本発明の実施の形態について、図面に基づいて説明する。図面において、１は建築用電動シャッターのシャッターカーテンであって、該シャッターカーテン１は、開口部上方に設けられたシャッターケース２に内装された巻取りドラム３に巻装されている。そして、開閉停止用操作スイッチ４のスイッチ操作に伴う開閉機５の正逆駆動に基づいて巻き取られ、又は巻き出されるシャッターカーテン１が、開口部左右に建付けられるガイドレール６に案内されて上下昇降動をし、これによって開口部の開閉を行う構成となっていること等は何れも従来通りである。尚、７は開閉機５の駆動制御をするための制御部である。
【０００９】
前記シャッターカーテン１は、一連状に連結される複数のスラット８と最下端の座板（座板スラット）９とによって形成されるが、該座板９は、スラット８に一体に固定される固定座板（本発明の上座板に相当する）１０と、該固定座板１０に対して相対的に上下動するよう設けられる可動座板（本発明の下座板に相当する）１１とで形成されている。
【００１０】
前記固定座板１０は、スラット８がビス等の固定手段（図示せず）によって着脱自在に止着される縦板状の上片部１０ａと、該上片部１０ａの下端に一体形成される下方が開口した縦断面略冂字形に形成される下片部１０ｂとで一体型に形成されるが、該下片部１０ｂは、具体的には、上片部１０ａの下端から前後方向水平状に延出する跨部１０ｃと、該跨部１０ｃの前後両端から垂下する前後一対の脚部１０ｄと、該脚部１０ｄの下端から対向間隔を互いに狭くするよう前後方向内側に向けて延出する係止部１０ｅとで形成されている。そして固定座板１０の左右両端はビス１２を介して固定される上側塞ぎ板１３により塞がれている。
【００１１】
また可動座板１１は、上方が開口した縦断面略凵字形に形成されているが、具体的には、前記係止部１０ｅに上側から係合するべくフランジ状に形成の係合部１１ａと、係止部１０ｅよりも前後方向内側位置において係合部１１ａの前後方向内端から垂下する上側脚部１１ｂと、上側脚部１１ｂの下端から前後方向外方に向けて延出する中間片部１１ｃと、該中間片部１１ｃの前後方向外端から下方に向けて垂下する下側脚部１１ｄと、該下側脚部１１ｄの下端同士を連結する下片部１１ｅとで形成されている。そして可動座板１１は、固定座板１０に対し、係合部１１ａが係止部１０ｅに上側から当接する下動姿勢（この姿勢が自然状態）から、シャッターカーテン１の閉鎖作動中において障害物が可動座板１１に当接することに伴い中間片部１１ｃが係止部１０ｅに下側から当接する上動姿勢までの上下移動ができるようになっている。
さらに可動座板１１の左右両端は、ビス１２を介して固定される下側塞ぎ板１４により塞がれているが、該下側塞ぎ板１４は、上端が下動姿勢で上側塞ぎ板１３の下端縁よりも上側に延出していると共に、上半部が上側塞ぎ板１３に対して左右方向内方に位置するようになっていて、可動座板１１の前記上下移動の邪魔をしないようになっている。
尚、可動座板１１の底面にはカバー１１ｈが嵌着されるが、該カバー１１ｈは、予め工場において取り付けておいても良く、また現場取付けをしても良いが、分割座板であることもあって、一部（例えば一端側可動座板の分割端に至らない位置まで）を工場取付けをし、残り（前記分割端に至らない位置から他端側可動座板全長部分）を現場取付けするようにしておけば、座板側分割部位をカバー１１ｈで覆う（隠す)ことができることになる。
【００１２】
これら固定座板１０、可動座板１１は、本実施の形態では中間部分で左右に二分割される（勿論分割数は、必要において三分割以上にすることができるし、分割位置についても必要において自由に設定することができる。）ようになっており、次にその構成について説明する。固定座板１０は、一端側と他端側の固定座板１０Ａ、１０Ｂに、可動座板１１は、一端側と他端側の可動座板１１Ａ、１１Ｂにそれぞれ分割されるが、本実施の形態では他端側の固定座板１０Ｂと可動座板１１Ｂとに連結板１５、１６がビス１２を介してそれぞれ固定されている。
具体的には、固定座板１０用の連結板１５は側面視で逆Ｌ字形をしていて他半部１５ｂが他端側固定座板１０Ｂの分割端１０ｇから該座板内に入り、一半部１５ａが他端側固定座板１０Ｂの分割端１０ｇから突出する状態で、上面部１５ｃが跨部１０ｃの内面に当接し、縦面部１５ｄが脚部１０ｄの内面に当接するようにしてビス１２を介して他端側固定座板１０Ｂに固定されている。
また可動座板１１用の連結板１６は、側面視で凵字形をし、他半部１６ｂが他端側可動座板１１Ｂの分割端１１ｇから該座板内に入り、一半部１６ａが他端側可動座板１１Ｂの分割端１１ｇから突出する状態で、前後面部１６ｃが下側脚部１１ｄの内面に当接し、下面部１６ｄが下片部１１ｅの内面に当接する状態でビス１２を介して他端側可動座板１１Ｂに固定されている。
【００１３】
そしてこのように分割された固定座板１０、可動座板１１は、連結板１５、１６の前記突出する一半部１５ａ、１６ａを、一端側の固定座板１０Ａ、可動座板１１Ａの分割端１０ｆ、１１ｆから挿入差込みをし、左右の固定座板１０Ａ、１０Ｂ、可動座板１１Ａ、１１Ｂの分割端同士が当接した状態でビス１２を用いて一端側の固定座板１０Ａ、可動座板１１Ａと連結板１５、１６とを固定することで連結されるように構成されている。
【００１４】
次に障害物検知装置の構成について具体的に説明する。１７、１８は第一、第二の障害物検知装置の検知具本体であって、第一検知具本体１７は、図面において固定座板の左端部に一つが配せられ、第二検知具本体１８はそれ以外の箇所に複数設けられていること、第二検知具本体１８は、第一検知具本体１７に設けられる復帰弾機１９と検知スイッチ２０とがないこと、作動ワイヤ２１の止め位置が逆なこと以外は全て同じ構成であるので、第一検知具本体１７について詳述し、第二検知具本体１８について詳述は特に必要な事項を除いて省略する。
【００１５】
第一検知具本体１７は、上端面に前記固定座板１０における跨部１０ｃの下面に設けた係止片１０ｈに左右方向スライド移動自在に係止する係止部１７ａが形成されており、そして第一検知具本体１７は、固定座板１０の左端部にセットされた状態で、第一検知具本体１７に設けたビス１２ａによりその位置に位置決め固定ができる設定になっている。このようにして固定座板１０に固定される第一検知具本体１７には前述した検知スイッチ（本実施例ではスイッチレバー２０ａが押圧される常時において開成するＢ接点方式のものが採用されている）２０が設けられている。
【００１６】
第一検知具本体１７の右端には、左右下方に向けて突出する揺動レバー２２の基端が支軸２２ａを介して上下方向揺動自在に軸支されるが、該揺動レバー２２は、前記復帰弾機１９の付勢力を受けて左方に向けて弾持されている。一方、前記検知スイッチ２０は、スイッチレバー２０ａが揺動レバー２２の復帰弾機１９による付勢方向に対向するよう支軸２２ａよりも一端側位置において第一検知具本体１７に止着され、そして後述するように、障害物検知のない通常時は、復帰弾機１９により付勢される揺動レバー２２に突設の押圧体２２ｂにスイッチレバー２０ａが押圧された非検知姿勢になっているが、障害物検知に基づき揺動レバー２２が復帰弾機１９の付勢力に抗して右上方に揺動することに伴い、押圧体２２ｂによるスイッチレバー２０ａの押圧が解除され、これによって検知スイッチ２０が閉成して障害物検知がなされるよう設定されている。また、揺動レバー２２は、ストッパ部２２ｃが第一検知具本体１７に当接することでこれ以上に回り止めがなされていて検知スイッチ２０の弾機付勢力を受けた押圧しすぎがないように対処されている。
因みに検知スイッチ２０に接続されるリード線２０ｂは、シャッターカーテン１の室内側面に沿う状態でシャッターケース２の下端に設けたコードリール２０ｃに引き込まれたものが制御部７に接続され、緊急停止する等の必要な障害物検知作動を行うように設定されている。
また、揺動レバー２２には、障害物が可動座板１１の前後底面に偏倚する状態で当ったりして該可動座板１１が前後に傾いた場合の検知を行うため、係合部１１ａの上面に当接して揺動レバー２２を上昇させる補助検知部２２ｄが設けられている。
【００１７】
さらに、揺動レバー２２の先端部には連結具である作動ワイヤ２１を連通連結するための連通具２３が回動自在に止着されている。連通具２３に開設した連通孔２３ａには作動ワイヤ２１が貫通状に連通しているが、作動ワイヤ２１は、第一検知具本体１７においては、連通具２３の貫通一端側に移動阻止用の阻止具２４が設けられているが、第二検知具本体１８においては連通具２３の貫通他端側に移動阻止用の阻止具２４ａが設けられている。そして可動座板１１が障害物に当接して上動した場合において、上動部位が第一検知具本体１７側であった場合、第一検知具本体１７の揺動レバー２２が上動変位することになるが、この上動変位は揺動レバー２２が阻止具２４から離間する方向の揺動であるため、作動ワイヤ２１は移動することがない状態で該揺動レバー２２の復帰弾機１９の付勢力に抗した揺動により検知スイッチ２０が切換えられて障害物検知をするようになっている。これに対し可動座板１１の上動部位が第二検知具本体１８側であった場合、対応する部位の第二検知具本体１８の揺動レバー２２が上動変位するが、この上動変位は揺動レバー２２が阻止具２４ａ側に向けての揺動であるため、作動ワイヤ２１を図面において右方に押しやることになり、これに連動して第一検知具本体１７の揺動レバー２２も上動変位することになって前述したと同様の障害物検知をするようになっている。
【００１８】
次に、作動ワイヤ２１の分割構造について説明する。作動ワイヤ２１は、一端側固定座板１０Ａに設けられる一端側作動ワイヤ２１Ａと他端側固定座板１０Ｂに設けられる他端側作動ワイヤ２１Ｂとに分割されているが、一端側作動ワイヤ２１Ａは、一端側固定座板１０Ａの分割端１０ｆよりも突出するよう長くなっており、その先端に一端側止め金具２１ａが連結されている。一方、他端側作動ワイヤ２１Ｂは、他端側固定座板１０Ｂの分割端１０ｇよりも没入するよう短くなっており、その先端に他端側止め金具２１ｂが連結されている。
【００１９】
そして分割された作動ワイヤ２１Ａ、２１Ｂの連結作業は次のようにして行われる。まず、前述したように一端側固定座板１０Ａと他端側固定座板１０Ｂとを連結するが、一端側可動座板１１Ａと他端側可動座板１１Ｂとは連結しない（連結する前の）状態において、他端側可動座板１１Ｂの左右端を塞いでいる下側塞ぎ板１４をビス１２を抜き取ることで外す。そして他端側可動座板１１Ｂを他端側固定座板１０Ｂに対して両止め金具２１ａ、２１ｂが露出する位置まで左右方向外方に向けて移動させる。ついで両止め金具２１ａ、２１ｂを重ね合わせ、固定具（ボルト・ナット）２１ｃを用いて連結固定する。しかる後、他端側可動座板１１Ｂを、一端側可動座板１１Ａとの連結位置まで移動し、一端側可動座板１１Ａと前述したように連結する。最後に前記外した下側塞ぎ板１４をビス１２を用いて取り付けることで作動ワイヤ２１の連結作業が終了するようになっている。
【００２０】
因みに、前記分割された作動ワイヤ２１の張り調節は、本実施の形態のものは現場ではなく工場で事前に行われる。工場において、分割した一端側、他端側固定座板１０Ａ、１０Ｂを連結した状態として第一、第二検知具本体１７、１８を固定座板１０の所要位置に固定し、分割していない作動ワイヤ２１を連通具２３に通し、張り調整をしながら阻止具２４、２４ａをカシメ固定して組込む。このように張り調整された作動ワイヤ２１を前記分割位置で切断する。該切断端部について、止め金具２１ａ、２１ｂの長さを勘案した状態でさらに切断した後、止め金具２１ａ、２１ｂをカシメ固定することになるが、確認のため、両止め金具２１ａ、２１ｂを固定具２１ｃで固定して作動ワイヤ２１の張り具合を確認し、必要があれば作動ワイヤ２１の再度の張り調整を行った後、固定具２１ｃを外して作動ワイヤ２１を分割することになる。
【００２１】
叙述の如く構成された本実施の形態において、障害物検知装置が取り付けられていない既存の座板（図示せず）を最下端スラット８から取り外し、障害物検知装置が組込まれた座板９を前記最下端スラット８に取り付けることになるが、その場合の座板９は、前記最下端スラット８に取り付けられる固定座板１０と、該固定座板１０に対して上下動可能な可動座板１１とで構成されるが、座板９は左右に二分割されたものを現場で組み立てるものであるから、座板９の全体長さが長く、搬入経路の確保が難しいものであっても容易に搬入することができる。
【００２２】
しかもこの場合において、障害物検知装置を構成する検知具本体１７、１８が固定座板１０に複数設けられ、これら検知具本体１７、１８に揺動自在に設けられる揺動レバー２２が作動ワイヤ２１によって連結されていて、可動座板１１が障害物に当って上動したことに基づく揺動レバー２２の上動を、第一検知具本体１７に設けた検知スイッチ２０で検知するようにしたものであって、作動ワイヤ２１についても座板９と同様、長いものであっても、該作動ワイヤ２１も、座板９の分割に対応して左右に分割されたものを一連状に連結するものであるから、作動ワイヤの張り調整を工場で予め行った状態で現場に搬入することができることになって、現場においていちいち作動ワイヤ２１の張り調整をする必要がなくなり、作業性の向上が図れることになる。
【００２３】
そのうえ作動ワイヤ２１の現場での連結は、分割された各作動ワイヤ２１Ａ、２１Ｂの分割端部に設けた止め金具２１ａ、２１ｂ同士を重ね合わせて固定具２１ｃで固定するという簡単な作業でよいことになって作業性が損なわれることがない。
【００２４】
尚、本発明は前記実施の形態に限定されないものであることは勿論であって、分割された作動ワイヤ２１Ａ、２１Ｂ同士の連結は、例えば図８に示す第二の実施の形態のようにすることもできる。このものは連結杆２５を用いて連結したものであって、左右分割端側の揺動レバー２２にそれぞれ設けた連結具２３の連通孔２３ａに連結杆２５の一端に形成の係止フック２５ａをそれぞれ係止する一方、連結杆２５の他端に設けた係合フック２５ｂ同士を互いに係合することで連結するようにしたものであり、このようにしても分割した作動ワイヤ２１Ａ、２１Ｂ同士の連結を簡単に行うことができる。
【産業上の利用可能性】
【００２５】
建築用シャッターにおいて、障害物検知装置が設けられていない既存の座板を、障害物検知装置が設けられている座板に交換するにあたり、間口幅が広く、座板の搬入経路の確保が難しいところでも容易に搬入し、簡単に現場組み立てができるものである。
【符号の説明】
【００２６】
１    シャッターカーテン
９    座板
１０    固定座板
１０Ａ  一端側固定座板
１０Ｂ  他端側固定座板
１１    可動座板
１１Ａ  一端側可動座板
１１Ｂ  他端側可動座板
１７    第一検知具本体
１８    第二検知具本体
１９    復帰弾機
２０    検知スイッチ
２１    作動ワイヤ
２１Ａ  一端側作動ワイヤ
２１Ｂ  他端側作動ワイヤ
２１ａ  一端側止め金具
２１ｂ  他端側止め金具
２１ｃ  固定具
２２    揺動レバー
【図１】
2014025286.tif 000003
【図２】
2014025286.tif 000004
【図３】
2014025286.tif 000005
【図４】
2014025286.tif 000006
【図５】
2014025286.tif 000007
【図６】
2014025286.tif 000008
【図７】
2014025286.tif 000009
【図８】
2014025286.tif 000010